(57)【要約】【課題】照明装置からの出射光の出射方向をより確実に規制する。【解決手段】光出射面３６を有する導光板３３と、光出射面３６を覆うと共に導光板３３からの光に光学作用を付与する反射型偏光板４０と、反射型偏光板４０を導光板３３とは反対側から覆うプリズムシート５０であって、複数のプリズム部５２と、プリズム部５２における反射型偏光板４０とは反対側の斜面５５を覆う光反射部５３と、を有するプリズムシート５０と、を備えることに特徴を有する。【選択図】図１
2019125543.tif 000002
【特許請求の範囲】
【請求項１】
光出射面を有する光源と、
前記光出射面を覆うと共に前記光源からの光に光学作用を付与する光学部材と、
前記光学部材を前記光源とは反対側から覆うプリズムシートであって、複数のプリズム部と、前記プリズム部における前記光学部材とは反対側の面の一部を覆う光反射部と、を有するプリズムシートと、を備える照明装置。
【請求項２】
前記光学部材は、反射型偏光板である請求項１に記載の照明装置。
【請求項３】
前記複数のプリズム部の配列方向は、前記反射型偏光板を透過する直線偏光の偏光軸と一致する請求項２に記載の照明装置。
【請求項４】
前記複数のプリズム部の配列方向は、前記反射型偏光板を透過する直線偏光の偏光軸と直交する請求項２に記載の照明装置。
【請求項５】
前記プリズムシートと前記光源との間に配され、前記プリズムシートの複数の前記プリズム部の配列方向とは異なる方向に配列された複数の光源側プリズム部を有する光源側プリズムシートを備える請求項１から請求項４のいずれか１項に記載の照明装置。
【請求項６】
前記プリズム部は、一対の斜面を有する三角柱状をなし、
前記光反射部は、
前記一対の斜面のうち一方の斜面を覆う構成である請求項１から請求項５のいずれか１項に記載の照明装置。
【請求項７】
前記光源は、
前記光出射面を有する導光板と、
前記導光板の端面と対向配置され、前記端面に向けて光を出射する点状光源と、を備え、
前記複数のプリズム部の配列方向は、前記点状光源と前記導光板の並び方向に沿うものとされ、
前記一方の斜面は、前記一対の斜面のうち前記点状光源に対して遠い側に配される斜面である請求項６に記載の照明装置。
【請求項８】
請求項１から請求項７のいずれか一項に記載の照明装置と、
前記照明装置からの光を利用して画像を表示する表示パネルと、を備える表示装置。
【請求項９】
前記表示パネルの前記照明装置側の面には、光反射防止層又は防眩層が配されている請求項８に記載の表示装置。
【請求項１０】
前記表示パネルは、液晶パネルとされ、
前記液晶パネルは、
対向配置される一対の基板と、
前記一対の基板の間に介在される液晶層と、
前記一対の基板のうち、前記照明装置側に配される基板を前記照明装置側から覆う円偏光板と、を備える請求項８又は請求項９に記載の表示装置。
【発明の詳細な説明】
【技術分野】
【０００１】
本発明は、照明装置及び表示装置に関する。
【背景技術】
【０００２】
従来、照明装置として、光学フィルムを備えるものが知られている。下記特許文献１では、プリズムを有する光学フィルムが記載され、プリズムによって照明装置からの出射光の出射方向が規制される構成となっている。これにより、出射方向を規制することで、フロントガラスからの望ましくない反射を防止することができる。
【先行技術文献】
【特許文献】
【０００３】
【特許文献１】特開２００７−１６４１９３号公報
【発明の概要】
【発明が解決しようとする課題】
【０００４】
また、照明装置としては、上述した光学フィルムに対して他の光学部材が積層されている構成のものが知られている。このような構成では、光学フィルムを通過した光が他の光学部材によって光学フィルム側に反射される場合があり、その反射光が光学フィルムによって再度反射されて照明装置から出射される場合がある。このような光は、プリズムによる出射方向の規制がされず、所望の出射方向以外の方向に出射される可能性がある。
【０００５】
本発明は上記のような事情に基づいて完成されたものであって、照明装置からの出射光の出射方向をより確実に規制することを目的とする。
【課題を解決するための手段】
【０００６】
上記課題を解決するために、本発明の照明装置は、光出射面を有する光源と、前記光出射面を覆うと共に前記光源からの光に光学作用を付与する光学部材と、前記光学部材を前記光源とは反対側から覆うプリズムシートであって、複数のプリズム部と、前記プリズム部における前記光学部材とは反対側の面の一部を覆う光反射部と、を有するプリズムシートと、を備えることに特徴を有する。
【０００７】
上記構成において、光源の光出射面から出射された光は、光学部材を通過した後、プリズムシートに向かう。プリズムシートが光反射部を備えることで、プリズム部から光反射部に向かう光を反射させることができる。これにより、プリズム部から光反射部に向かう方向（以下、第１方向）への光の出射を規制することができる。仮に、光源、プリズムシート、光学部材の順番で積層した場合には、光学部材によってプリズムシート側に反射された光がプリズム部の光反射部によって光学部材側に反射される結果、第１方向への出射光が生じる可能性がある。上記構成によれば、光源、光学部材、プリズムシートの順番で積層されているため、光源から出射された光が光学部材によってプリズムシート側に反射される事態を抑制できる。この結果、照明装置から出射される出射光について、出射方向の規制をより確実に行うことができる。
【発明の効果】
【０００８】
本発明によれば、照明装置からの出射光の出射方向をより確実に規制することができる。
【図面の簡単な説明】
【０００９】
【図１】本発明の実施形態１に係る液晶表示装置の概略構成を示す断面図
【図２】液晶表示装置を構成するバックライト装置の概略構成を示す分解斜視図
【図３】比較例に係る液晶表示装置の概略構成を示す断面図
【図４】実施形態１における輝度角度分布を示す図
【図５】実施形態１における輝度角度分布を示すグラフ
【図６】比較例における輝度角度分布を示す図
【図７】比較例における輝度角度分布を示すグラフ
【図８】アルミニウムに対して光を入射させた場合において、入射角と光反射率の関係を示すグラフ
【図９】実施形態２に係る液晶表示装置の概略構成を示す断面図
【図１０】実施形態２における輝度角度分布を示すグラフ
【図１１】図１０のグラフの一部を拡大して示すグラフ
【図１２】実施形態３に係るバックライト装置の概略構成を示す分解斜視図
【図１３】実施形態３における輝度角度分布を示す図
【図１４】実施形態３における輝度角度分布を示すグラフ
【図１５】図１４のグラフの一部を拡大して示すグラフ
【図１６】実施形態４に係るバックライト装置の概略構成を示す分解斜視図
【図１７】実施形態４における輝度角度分布を示す図
【図１８】実施形態４における輝度角度分布を示すグラフ
【図１９】図１８のグラフの一部を拡大して示すグラフ
【発明を実施するための形態】
【００１０】
＜実施形態１＞
本発明の実施形態１を図１から図８によって説明する。本実施形態では、表示装置として液晶表示装置１０を例示する。液晶表示装置１０は、平面視において長方形状をなしており、図１に示すように、液晶パネル２０（表示パネル）と、液晶パネル２０の裏側（図１の下側）に配されて液晶パネル２０に向けて光を照射するバックライト装置３０（照明装置）と、を備える。液晶パネル２０は、平面視において長方形状をなしており、バックライト装置３０からの光を利用して画像を表示することが可能となっている。液晶パネル２０は、透光性を有するガラス製の一対の基板２１，２２と、両基板２１，２２間に介在され、電界印加に伴って光学特性が変化する物質である液晶分子を含む液晶層２３と、を備える。
【００１１】
対向配置される一対の基板２１，２２のうち表側がＣＦ基板２１とされ、裏側がアレイ基板２２とされる。アレイ基板２２における内面側には、スイッチング素子であるＴＦＴ（Thin Film Transistor）及び画素電極が多数個並んで設けられるとともに、これらＴＦＴ及び画素電極の周りには、格子状をなすゲート配線及びソース配線が取り囲むようにして配設されている。各配線には、図示しない制御回路から所定の画像信号が供給されるようになっている。ＣＦ基板２１には、各画素に対応した位置に多数個のカラーフィルタが並んで設けられている。カラーフィルタは、Ｒ，Ｇ，Ｂの三色が交互に並ぶ配置とされる。カラーフィルタの内面には、アレイ基板２２側の画素電極と対向する共通電極が設けられている。なお、共通電極がアレイ基板２２に設けられていてもよい。また、両基板２１，２２の内面側には、液晶層に含まれる液晶分子を配向させるための配向膜がそれぞれ形成されており、両基板２１，２２の外面側には、それぞれ偏光板２４，２５が貼り付けられている。バックライト装置３０に近い側の偏光板２５は、アレイ基板２２（一対の基板のうち照明装置側に配される基板）をバックライト装置３０側から覆う形で配されている。偏光板２５は、例えば、円偏光板とされる。円偏光板は、直線偏光板及びλ／４位相差板によって構成されている。
【００１２】
バックライト装置３０は、図２に示すように、全体として平面視において長方形の略ブロック状をなしている。バックライト装置３０は、点状光源である複数のＬＥＤ３１（Light Emitting Diode：発光ダイオード）と、ＬＥＤ３１が実装されたＬＥＤ基板３２と、ＬＥＤ３１からの光を導光する導光板３３と、導光板３３からの光を反射する光反射シート３４と、光拡散シート３７と、反射型偏光板４０と、プリズムシート５０（集光シート）と、を備える。バックライト装置３０は、その外周部分のうち長辺を構成する一端部にＬＥＤ３１が配された片側入光方式のエッジライト型（サイドライト型）とした。ＬＥＤ基板３２は、Ｙ軸方向（導光板３３の長辺方向）に沿って延在する板状をなしている。ＬＥＤ３１は、ＬＥＤ基板３２に固着される基板部上にＬＥＤチップを樹脂材により封止した構成とされる。ＬＥＤ３１は、ＬＥＤ基板３２の長さ方向（Ｙ軸方向）に沿って複数が所定の間隔を空けつつ一列に並んで配置されている。
【００１３】
導光板３３は、屈折率が空気よりも十分に高く且つほぼ透明で透光性に優れた合成樹脂材料（例えばＰＭＭＡなどのアクリル樹脂など）からなる。導光板３３は、図２に示すように、平面視において長方形状をなす平板状とされている。導光板３３は、その短辺方向がＸ軸方向と、長辺方向がＹ軸方向とそれぞれ一致し、板面と直交する板厚方向がＺ軸方向と一致している。導光板３３における一方の長辺を構成する端面（光入射面３５）はＬＥＤ３１と対向配置されている。導光板３３において、表側の板面は、導光板３３内部の光を液晶パネル２０に向けて出射させる光出射面３６となっている（図１参照）。導光板３３の光入射面３５に対してＬＥＤ３１から導光板３３内に入射された光は、導光板３３内部を伝播しつつ、光出射面３６から出射される。つまり、複数のＬＥＤ３１及び導光板３３は、光出射面３６を有する面状光源（光源）を構成するものとされる。また、光反射シート３４は、導光板３３において裏側の板面を覆う形で配されている。これにより、導光板３３から裏側に向かう光は、光反射シート３４によって表側に反射される。
【００１４】
光拡散シート３７は、光出射面３６を覆う形で配され、光出射面３６からの出射光を拡散する機能を有している。反射型偏光板４０は、光拡散シート３７を表側（液晶パネル２０側）から覆う形で配されている。反射型偏光板４０は、例えば屈折率の互いに異なる層を交互に積層した多層構造を有しており、特定の方向に振動する直線偏光のみを透過し、特定の方向に対して垂直な方向に振動する直線偏光を反射する。反射型偏光板４０で導光板３３側に反射された偏光は、光反射シート３４によって再度反射されて反射型偏光板４０に入射する過程で偏光が解消され、その一部が反射型偏光板４０を透過することになる。また、本実施形態では、偏光板２５は、反射型偏光板４０を透過した直線偏光を透過することが可能な構成となっている。反射型偏光板４０を備えることで、本来ならば、液晶パネル２０の偏光板２５によって吸収される直線偏光を導光板３３側へ反射させて再利用することができ、光の利用効率（ひいては輝度）を高くすることができる。このような反射型偏光板４０の一例として、住友スリーエム株式会社製の商品名「ＤＢＥＦ（登録商標）」などを挙げることができる。なお、反射型偏光板４０は、上記記載のものに限定されず、光出射面３６から出射された光の一部を、導光板３３側へ反射させることで再利用可能な構成のものであればよい。なお、反射型偏光板４０は、導光板３３からの光に光学作用を付与する光学部材の一例である。
【００１５】
プリズムシート５０は、反射型偏光板４０を表側（光源とは反対側）から覆う形で配されており、光出射面３６からの光をＸ軸方向について集光させることで正面輝度を向上させる機能を有している。プリズムシート５０は、図１に示すように、シート状をなすシート基材５１と、シート基材５１の表側に形成される複数のプリズム部５２（単位集光部）と、プリズム部５２における反射型偏光板４０とは反対側の面の一部を覆う光反射部５３と、を備える。シート基材５１及びプリズム部５２は、例えば、複屈折の抑制されたポリカーボネイト等の透明な合成樹脂を押出成形することで構成されており、同じ材質で一体的に設けられている。なお、シート基材５１とプリズム部５２とが異なる材質であってもよく、シート基材５１を複屈折の抑制されたポリカーボネイトなどの熱可塑性樹脂材料とし、プリズム部５２を紫外線硬化性樹脂材料としてもよい。なお、プリズムシート５０が複屈折を有する場合、反射型偏光板４０を透過した直線偏光がプリズムシート５０を通過する際に偏光が乱れ、一部が液晶パネル２０の偏光板２５によって吸収される。このため、プリズムシート５０は複屈折の抑制された材料で構成することが望ましい。
【００１６】
プリズム部５２は、シート基材５１の表面から表側（出光側）に向けて突出する形で設けられている。プリズム部５２は、Ｙ軸方向に沿って直線的に延在されており、Ｘ軸方向に沿って複数本配列されている。つまり、複数のプリズム部５２の配列方向は、ＬＥＤ３１と導光板３３の並び方向に沿うものとされる。プリズム部５２は、断面視において二等辺三角形となる三角柱状をなしており、一対の斜面５４，５５を有している。一対の斜面５４，５５は、プリズム部５２における液晶パネル２０側の面とされる。光反射部５３は、斜面５５（一対の斜面のうち一方の斜面）を覆う形で設けられている。この斜面５５は、一対の斜面５４，５５のうちＬＥＤ３１に対して遠い側に配される斜面である。なお、プリズム部５２の頂角（一対の斜面５４，５５のなす角度）は、例えば９０度とされ、プリズム部５２のＸ軸方向における長さは、例えば５０μｍとされ、プリズムシート５０の厚さ（シート基材５１及びプリズム部５２の厚さ）は、例えば、１５５μｍとされるが、これらの数値は一例であり、この数値に限定されない。
【００１７】
また、複数のプリズム部５２の配列方向は、反射型偏光板４０を透過する直線偏光の偏光軸と一致するものとされる。なお、複数のプリズム部５２の配列方向は、反射型偏光板４０を透過する直線偏光の偏光軸と直交していてもよい。光反射部５３は、例えば光反射性に優れたアルミニウム等を斜面５５に斜方蒸着することで形成されているが、光反射部５３の材質は、これに限定されない。また、光反射部５３を覆う形でＳｉＯ２等の保護層５６（図１の２点鎖線参照）が設けられていてもよい。
【００１８】
次に本実施形態の効果について説明する。本実施形態において、導光板３３の光出射面３６から出射された光は、反射型偏光板４０を通過した後、プリズムシート５０に向かう。プリズムシート５０が光反射部５３を備えることで、プリズム部５２から光反射部５３に向かう光（例えば図１の矢線Ｌ１参照）を反射させることができる。これにより、プリズム部５２から光反射部５３に向かう方向（以下、第１方向）への光の出射を規制することができる。これに対して、図３の比較例のバックライト装置１３０に示すように、導光板３３、プリズムシート５０、反射型偏光板４０の順番で積層した場合には、反射型偏光板４０によってプリズムシート５０側に反射された光がプリズム部５２の光反射部５３によって反射型偏光板４０側に反射される結果、第１方向への出射光（例えば図３の矢線Ｌ２参照）が生じる可能性がある。本実施形態によれば、導光板３３、反射型偏光板４０、プリズムシート５０の順番で積層されているため、導光板３３から出射された光が反射型偏光板４０によってプリズムシート５０側に反射される事態を抑制できる。この結果、バックライト装置３０から出射される出射光について、出射方向の規制をより確実に行うことができる。
【００１９】
本実施形態及び比較例（図３の構成）について、バックライト装置からの出射光の輝度を測定した測定結果を図４から図７に示す。図４及び図６は、出射光について、正面方向（Ｚ軸方向、バックライト装置を正面から視た状態に対応）を基準とした輝度角度分布を示す図である。図４は本実施形態における輝度角度分布を示しており、図６は比較例における輝度角度分布を示している。図４及び図６において、横軸はＸ軸方向についての出射角（正面方向を基準としてＸ軸に向かう角度）となっており、縦軸はＹ軸方向についての出射角（正面方向を基準としてＹ軸に向かう角度）となっている。なお、図４及び図６の左側がＬＥＤ３１側であり、右側がＬＥＤ３１から遠い側である。図４及び図６においては、輝度の高低をハッチング模様の密度で示しており、ハッチングの密度が低い部分（明るい部分）程、輝度が高く、ハッチングの密度が高い部分（暗い部分）程、輝度が低いことを示している。なお、後述する図１３、図１７についてもハッチングの密度が低い部分（明るい部分）程、輝度が高く、ハッチングの密度が高い部分（暗い部分）程、輝度が低いことを示している。
【００２０】
また、図５及び図７は、Ｘ軸方向についての出射角（横軸）と輝度（縦軸）の関係を示すグラフである。図５は本実施形態における輝度を示しており、図７は比較例における輝度を示している。なお、図５及び図７の左側がＬＥＤ３１側であり、右側がＬＥＤ３１から遠い側である。図４から図７に示すように、本実施形態では、比較例に比べて、プリズム部５２において光反射部５３が配された側（右側）に向かう出射光の輝度が低下しており（図５及び図７の出射角３０°〜９０°参照）、プリズム部５２において光反射部５３が配されていない側（左側）に向かう出射光の輝度が高くなっている（図５及び図７の出射角−６０°〜−９０°参照）。これにより本実施形態では、光反射部５３による出射方向の規制がより確実に行われていることが分かる。
【００２１】
また、プリズムシート５０と導光板３３の間に介在される光学部材は、反射型偏光板４０である。反射型偏光板４０は、特定の偏光を反射させる構成であるため、仮に、導光板３３、プリズムシート５０、反射型偏光板４０の順番で積層した場合には、他の光学部材と比べてプリズムシート５０側に反射される光の量が多くなり、プリズム部５２において光反射部５３が配された側（右側）に向かう光が多くなり易い。このため、本実施形態の構成は、光学部材が反射型偏光板４０である場合において特に好適である。
【００２２】
また、複数のプリズム部５２の配列方向は、反射型偏光板４０を透過する直線偏光の偏光軸と一致するものとされる。本実施形態では、反射型偏光板４０を透過した直線偏光がプリズム部５２に向かう。プリズム部５２の配列方向を、その直線偏光の偏光軸と一致させることで、反射型偏光板４０からプリズム部５２に向かう光をプリズム部５２（及び光反射部５３）の入射面に対してＰ偏光とすることができ、プリズム部５２によって屈折又は反射した際（及び光反射部５３で反射した際）に光の偏光状態が変化する事態を抑制することができる。バックライト装置３０の照射対象として液晶パネル２０を用いる場合において、反射型偏光板４０を透過した光の偏光状態が変わってしまうと、液晶パネル２０の偏光板２５を透過できる光が減少し、光の利用効率が低下してしまう。本実施形態では、反射型偏光板４０を透過した直線偏光の偏光状態を維持しつつ、出射させることができるから、光の利用効率をより高くすることができる。なお、ここで言う光の偏光状態の変化とは、偏光軸の回転や複屈折に起因した位相差の発生などを意味する。
【００２３】
また、複数のプリズム部５２の配列方向は、反射型偏光板４０を透過する直線偏光の偏光軸と直交するものとしてもよい。プリズム部５２の配列方向を、その直線偏光の偏光軸と直交させることで、反射型偏光板４０からプリズム部５２に向かう光をプリズム部５２（及び光反射部５３）の入射面に対してＳ偏光とすることができ、プリズム部５２によって屈折又は反射した際（及び光反射部５３で反射した際）に光の偏光状態が変化する事態を抑制することができる。これにより、反射型偏光板４０を透過した直線偏光の偏光状態を維持しつつ、出射させることができるから、光の利用効率をより高くすることができる。
【００２４】
また、図８は、アルミニウムに対して光を入射させた場合において、入射角と光反射率の関係を示すグラフである。図８の破線はＰ偏光に係る光反射率であり、図８の一点鎖線はＳ偏光に係る光反射率である。また、図８の実線はＳ偏光及びＰ偏光の光反射率の平均値である。一般に金属による光反射は、図８に示すように、Ｓ偏光に対する光反射率がＰ偏光に対する光反射率に対して高い特性を有している。このため、光反射部５３として金属を用いる場合には、複数のプリズム部５２の配列方向が、反射型偏光板４０を透過する直線偏光の偏光軸と直交するような構成とすることがより好ましい。このようにすれば、反射型偏光板４０を透過する直線偏光を、光反射部５３に対してＳ偏光（入射面に対して垂直となる偏光）にすることができ、光反射部５３によって反射される光を多くする（言い換えると光反射部５３において吸収される光を少なくする）ことができ、光の利用効率をより高くすることができる。
【００２５】
また、プリズム部５２は、一対の斜面５４，５５を有する三角柱状をなし、光反射部５３は、一対の斜面５４，５５のうち一方の斜面５５を覆う構成とされる。これにより、斜面５５から光が出射する事態を防止すると共に斜面５４からの出射光を増やすことができる。
【００２６】
また、複数のプリズム部５２の配列方向は、ＬＥＤ３１と導光板３３の並び方向（Ｘ軸方向）に沿うものとされ、光反射部５３で覆われる斜面５５は、一対の斜面５４，５５のうちＬＥＤ３１に対して遠い側に配される斜面とされる。ＬＥＤ３１から出射された光は、導光板３３内部で導光された後、光出射面３６から出射される。プリズム部５２における２つの斜面のうちＬＥＤ３１に対して遠い側の斜面５５を光反射部５３で覆う構成とすれば、導光板３３の光出射面３６から出射される光のうち、ＬＥＤ３１に対して遠い側に向かう光を規制することができる。
【００２７】
また、液晶パネル２０は、対向配置される一対の基板２１，２２と、一対の基板２１，２２の間に介在される液晶層２３と、一対の基板２１，２２のうち、バックライト装置３０側に配される基板２２をバックライト装置３０側から覆う偏光板２５と、を備える。液晶パネル２０内部に入射した光が液晶パネル２０内部の反射によってプリズムシート５０側に反射されると、その反射光がプリズム部５２の光反射部５３によって液晶パネル２０側に反射され、光反射部５３で規制したい方向（第１方向）への出射光となる可能性がある。偏光板２５を円偏光板とすることで、液晶パネル２０内部に入射した光がバックライト装置３０側に反射する事態を抑制することができるため、このような事態を抑制できる。なお、偏光板２５が円偏光板である場合には、偏光板２５は、バックライト装置３０側から直線偏光板及びλ／４位相差板の順番で積層されることで構成される。このようにすれば、バックライト装置３０からの出射光は、液晶パネル２０に入射する際に、直線偏光板を通過することで直線偏光となり、その後、λ／４位相差板を通過することで円偏光となる。このような円偏光が液晶パネル２０内部で反射された場合、その反射光は、入射光と逆回りの円偏光になる。この反射光は、再度λ／４位相差板を通過することで入射時と直交した直線偏光となり、その後直線偏光板で吸収される。このため、液晶パネル２０に入射した光がバックライト装置３０側に反射される事態を抑制することができる。ただし、偏光板２５は円偏光板に限定はされない。なお、本実施形態では、反射型偏光板４０とプリズムシート５０とを積層する構成としたが、両者を接着（粘着）材で貼り合わせた構成とすることもできる。さらに、反射型偏光板４０の上に、直接、紫外線硬化性樹脂材料などによるプリズム部５２を配列する構成とすることもできる。
【００２８】
＜実施形態２＞
次に、本発明の実施形態２を図９から図１１によって説明する。上記実施形態と同一部分には、同一符号を付して重複する説明を省略する。本実施形態の液晶パネル２２０には、バックライト装置３０側の面（偏光板２５の裏面）に、光反射防止層２２６が配されている。光反射防止層２２６としては、例えばＡＲコート層を用いることができる。具体的には、ＡＲコート層（Anti-Reflection Coating）は、フッ化マグネシウムなどの低屈折率材料からなる薄膜であり、その膜厚を可視光線の１／４波長とすることで、ＡＲコート層の表面での反射光と、ＡＲコート層を透過して奥で反射した光とが、１／２波長ずれた逆相となって、互いに打ち消しあうことで、反射光の低減を図ることができるようになっている。
【００２９】
本実施形態において、液晶パネル２２０のバックライト装置３０側の面によってプリズムシート５０側に反射された光がプリズム部５２の光反射部５３によって液晶パネル２２０側に反射されると、光反射部５３によって出射を規制したい方向（第１方向）への出射光が生じる可能性がある。液晶パネル２２０のバックライト装置３０側の面に光反射防止層２２６を配することで、このような事態を抑制できる。図１０は、Ｘ軸方向についての出射角（横軸）と輝度（縦軸）の関係を示すグラフである。図１１は、図１０のグラフにおいて出射角３０°〜９０°の範囲を拡大して示すグラフである。図１０及び図１１の実線が実施形態２の輝度であり、一点鎖線が実施形態１の輝度である。本実施形態では、図１０及び図１１に示すように、実施形態１に比べてプリズム部５２において光反射部５３が配された側（右側）に向かう出射光の輝度が低下している（図１１の出射角４５°〜９０°参照）。これにより本実施形態では、光反射防止層２２６を備えることで光反射部５３による出射方向の規制がより確実に行われていることが分かる。
【００３０】
また、本実施形態において光反射防止層２２６の代わりに防眩層を備えていてもよい。このような防眩層は、例えば、微細な凹凸を有しており、反射光を散乱させる機能を有している。これにより、光反射部５３における液晶パネル２２０側への反射光が特定の方向に向かう事態を抑制でき、光反射部５３によって出射を規制したい方向への出射光が生じる事態を抑制できる。なお、液晶パネル２２０のバックライト装置３０側の面に光反射防止層２２６と防眩層とが積層されていてもよい。また、液晶パネル２２０の偏光板２４の裏面（バックライト装置３０側の面）に光反射防止層又は防眩層が配されていてもよいし、偏光板２４の裏面（バックライト装置３０側の面）に光反射防止層及び防眩層の双方が配されていてもよい。
【００３１】
＜実施形態３＞
次に、本発明の実施形態３を図１２から図１５によって説明する。上記実施形態と同一部分には、同一符号を付して重複する説明を省略する。本実施形態のバックライト装置３３０は、プリズムシート５０と反射型偏光板４０との間に配されたプリズムシート３５０（光源側プリズムシート）を備える。プリズムシート３５０は、シート状をなすシート基材３５１と、シート基材３５１の表側に形成される複数のプリズム部３５２（光源側プリズム部）と、を備える。プリズム部３５２は、Ｘ軸方向に沿って延びており、複数のプリズム部３５２は、シート基材３５１の短辺方向（Ｙ軸方向）に沿って配列されている。つまり、複数のプリズム部３５２の配列方向は、プリズムシート５０の複数のプリズム部５２の配列方向に対して直交している。なお、プリズム部３５２には光反射部が設けられていない。
【００３２】
プリズムシート３５０を備えることで、反射型偏光板４０を透過した光をＹ軸方向において集光させることができ、バックライト装置３３０の正面輝度をより高くすることができる。仮に、導光板３３、プリズムシート５０、プリズムシート３５０の順番で積層した場合には、プリズムシート３５０によって導光板３３側に反射された光がプリズム部５２の光反射部５３によってプリズムシート３５０側に反射され、光反射部５３によって出射を規制したい方向（第１方向）への出射光が生じる可能性がある。上記構成によれば、導光板３３、プリズムシート３５０、プリズムシート５０の順番で積層していることから、光反射部５３によって出射方向の規制をより確実に行うことができる。
【００３３】
図１３は本実施形態における輝度角度分布を示している。図１３によれば、本実施形態では、実施形態１（図４参照）の構成と比べて、Ｙ軸方向（図１３の縦軸）について集光されていることが分かる。図１４は、Ｘ軸方向についての出射角（横軸）と輝度（縦軸）の関係を示すグラフである。図１５は、図１４のグラフにおいて出射角３０°〜９０°の範囲を拡大して示すグラフである。図１４及び図１５の実線が実施形態３のバックライト装置３３０の輝度であり、一点鎖線が実施形態１のバックライト装置３０の輝度である。本実施形態では、図１４及び図１５に示すように、実施形態１に比べて、光反射部５３が配された側（右側）に向かう出射光の輝度が低下している（出射角４５°〜７５°参照）。これにより本実施形態では、光反射部５３による出射方向の規制がより確実に行われていることが分かる。
【００３４】
＜実施形態４＞
次に、本発明の実施形態４を図１６から図１９によって説明する。上記実施形態と同一部分には、同一符号を付して重複する説明を省略する。本実施形態のバックライト装置４３０においては、反射型偏光板４０と導光板３３の間にプリズムシート４５０（光源側プリズムシート）が配されている。プリズムシート４５０は、シート状をなすシート基材４５１と、シート基材４５１の表側に形成される複数のプリズム部４５２（光源側プリズム部）と、を備える。複数のプリズム部４５２は、シート基材４５１の短辺方向（Ｙ軸方向）に沿って配列されている。プリズムシート５０において、シート基材５１及びプリズム部５２は、例えば、ポリカーボネイト等の透明な合成樹脂を押出成形することで構成されており、一体的に設けられている。これに対して、プリズムシート４５０は、シート基材４５１とプリズム部４５２とが別体で設けられている。例えば、シート基材４５１はＰＥＴなどの熱可塑性樹脂材料によって構成され、プリズム部４５２は紫外線硬化性樹脂材料によって構成されている。
【００３５】
一般にＰＥＴは複屈折が大きいため、仮に、プリズムシート５０のシート基材５１をＰＥＴとした場合、反射型偏光板４０を透過した直線偏光が解消される事態が懸念される。このため、反射型偏光板４０に対して光出射側に配されるプリズムシート５０については、例えば、ポリカーボネイト等の透明な合成樹脂を押出成形することで構成するなど、複屈折を抑制することが望ましい。一方、反射型偏光板４０と導光板３３との間に配されているプリズムシート４５０については、プリズムシート４５０を通過した光が反射型偏光板４０に向かうことになるから、複屈折の発生を抑制する必要性が低い。このため、プリズムシート４５０については、シート基材４５１にＰＥＴを用いるなどして材料コストを低減することができる。
【００３６】
図１７は本実施形態における輝度角度分布を示している。図１７によれば、本実施形態では、実施形態１（図４参照）の構成と比べて、Ｙ軸方向について集光されていることが分かる。図１８は、Ｘ軸方向についての出射角と輝度の関係を示すグラフである。図１９は、図１８のグラフにおいて出射角３０°〜９０°の範囲を拡大して示すグラフである。図１８及び図１９の実線が実施形態４の輝度であり、一点鎖線が実施形態１の輝度である。本実施形態では、図１８及び図１９に示すように、実施形態１に比べて光反射部５３が配された側（右側）に向かう出射光の輝度が低下している（図１９の出射角６０°〜７５°参照）。これにより本実施形態では、光反射部５３による出射方向の規制がより確実に行われていることが分かる。
【００３７】
＜他の実施形態＞
本発明は上記記述及び図面によって説明した実施形態に限定されるものではなく、例えば次のような実施形態も本発明の技術的範囲に含まれる。
（１）上記実施形態では、光学部材として反射型偏光板を例示したが、これに限定されない。光学部材としては、導光板３３からの光に光学作用を付与するものであればよく、例えば、光拡散シートなどでもよい。
（２）上記実施形態では、光源としてＬＥＤと導光板とを備えるものを例示したが、これに限定されない。例えば、本発明は、光源として複数のＬＥＤのみを備える直下型のバックライト装置に対して適用してもよい。
（３）上記実施形態では、プリズム部５２の一対の斜面５４，５５のうちＬＥＤ３１に対して遠い側に配される斜面５５に光反射部５３を設ける構成としたが、これに限定されない。光反射部５３は、プリズム部５２の少なくとも一部に設けられていればよい。例えば、斜面５４（ＬＥＤ３１に対して近い側に配される斜面）に光反射部５３を設ける構成としてもよい。また、複数のプリズム部５２の配列方向は、ＬＥＤ３１と導光板３３の並び方向（Ｘ軸方向）に直交する方向（Ｙ軸方向）に沿うものとしてもよい。また、ＬＥＤ３１は導光板３３の複数の辺に配置されてもよい。
【符号の説明】
【００３８】
１０…液晶表示装置（表示装置）、２０，２２０…液晶パネル（表示パネル）、２１…ＣＦ基板（一対の基板を構成）、２２…アレイ基板（一対の基板のうち照明装置側に配される基板）、２３…液晶層、２５…偏光板（円偏光板）、３０，３３０，４３０…バックライト装置（照明装置）、３１…ＬＥＤ（点状光源、光源を構成）、３３…導光板（光源を構成）、３５…光入射面（導光板の端面）、３６…光出射面、４０…反射型偏光板（光学部材）、５０…プリズムシート、５２…プリズム部、５３…光反射部、５４…斜面（一対の斜面を構成）、５５…斜面（プリズム部における光学部材とは反対側の面の一部、一対の斜面のうち一方の斜面）、２２６…光反射防止層、３５０，４５０…プリズムシート（光源側プリズムシート）、３５２，４５２…プリズム部（光源側プリズム部）
【図１】
2019125543.tif 000003
【図２】
2019125543.tif 000004
【図３】
2019125543.tif 000005
【図４】
2019125543.tif 000006
【図５】
2019125543.tif 000007
【図６】
2019125543.tif 000008
【図７】
2019125543.tif 000009
【図８】
2019125543.tif 000010
【図９】
2019125543.tif 000011
【図１０】
2019125543.tif 000012
【図１１】
2019125543.tif 000013
【図１２】
2019125543.tif 000014
【図１３】
2019125543.tif 000015
【図１４】
2019125543.tif 000016
【図１５】
2019125543.tif 000017
【図１６】
2019125543.tif 000018
【図１７】
2019125543.tif 000019
【図１８】
2019125543.tif 000020
【図１９】
2019125543.tif 000021